(57)【要約】  本発明は、Ｌ字型の取付け金具（３）により板材にそれぞれ組み合わされた少なくとも３本の脚（２）を備えた板材からなる天板などの家具の要素であって、各脚（２）は実質的に横断断面が長方形であるシリンダと、カバーを形成する上端部とからなり、各脚（２）の上部は板材の縁部に配置された切り欠き部にはめられ、各脚はさらに前記板材の周辺から突出し、前記切り欠き部は第２の脚のハウジングを第１の脚と平行にするように寸法取りが行われ、前記第２の脚は隣接する天板に属し、Ｌ字型の取付け金具（３）が、板材上の取付け部（３ａ）と、前記脚（２）の前記シリンダと上端部の間に、脚（２）を構成するシリンダにはめ込むように配置された端部（３ｂ）とを有する家具の要素に関する。  本発明は、固定板が脚（２）を構成するシリンダの上部にはめられ、この固定板は脚（２）を構成するシリンダにはめ込むことができる金具（３）の端部（３ｂ）に備えられた穴に対応して配置される穴を備え、取付け部（８）が、前記固定板に取り付けられ、金具（３）の媒介により板材と脚（２）の間の有効な連結を提供するように、金具（３）の端部（３ｂ）の穴を経由してはめ込むことができることにある。  事務所用家具に適用【選択図】図２
2010510462.tif 000002
【特許請求の範囲】
【請求項１】
少なくとも３本の脚（２）を備えた板材（１）からなる、天板などの家具の要素であって、前記少なくとも３本の脚（２）がＬ字型の取付け金具（３）により板材（１）にそれぞれ組み合わされた、
各脚（２）が、横断断面が実質的に長方形であるシリンダと、カバー（２ａ）を形成する上端部とからなり、前記各脚（２）の上部は前記板材（１）の縁部に配置された切り欠き部（１ａ）にはめられ、各脚はさらに前記板材（１）の周囲から突出し、前記切り欠き部は第２の脚のハウジングを第１の脚と平行にするように寸法取りされ、前記第２の脚は隣接する天板に属し、
前記Ｌ字型の取付け金具（３）が、前記板材（１）上に取付け部（３ａ）と、前記脚（２）の前記シリンダと前記上端部（２ａ）の間に、前記脚（２）を構成する前記シリンダにはめ込むように配置された端部（３ｂ）とを有する、家具の要素において、
固定板（５）が前記脚（２）を構成する前記シリンダの前記上部にはめられ、この固定板（５）は、前記脚（２）を構成する前記シリンダにはめ込むことができる前記金具（３）の前記端部（３ｂ）に備えられた穴（６）に対応して配置された穴（７）を備え、前記取付け部（８）は、前記固定板（５）に取り付けられ、かつ前記金具（３）の媒介により前記板材（１）と前記脚（２）の間の有効な連結を提供するように、前記金具（３）の前記端部（３ｂ２）の穴（６）を経由してはめ込むことができることを特徴とする家具の要素。
【請求項２】
前記Ｌ字型金具（３）の前記取付け部（３ａ）が、Ｌ字の基部からなり、ねじ（４）などの取付け手段を使用して、前記金具（３）を前記板材（１）に取付けできるようにすることを特徴とする、請求項１に記載の家具の要素。
【請求項３】
前記金具（３）の前記端部（３ｂ）が２つの部品からなり、前記端部（３ｂ）の一方（３ｂ１）はＬ字断面の形状の前記金具（３）の前記取付け部（３ａ）を備えた単一部品からなり、前記端部（３ｂ）の前記部分（３ｂ１）が脚（２）を構成する前記シリンダの前記上部開口端部にはめ込むために第２の端部（３ｂ２）をはめるように配置された、請求項２に記載の家具の要素。
【請求項４】
前記端部（３ｂ）を構成する前記第２の部分（３ｂ２）が、前記脚（２）の前記シリンダのはめ込みを容易にするために、わずかに円錐形として実施されることを特徴とする、請求項３に記載の家具の要素。
【請求項５】
前記固定板（５）は穴（７）が配置された単一部品で実施されることを特徴とする、請求項１乃至４のいずれか１項に記載の家具の要素。
【請求項６】
前記固定板（５）が、前記固定板（５）の組立の際に、向かい合って配置された溝が前記穴（７）を形成する２つの半部品からなることを特徴とする、請求項１乃至４のいずれか１項に記載の家具の要素。
【請求項７】
前記脚（２）にはめられた前記固定板（５）に前記金具（３）を取付けできるようにする前記取付け部が、前記固定板（５）に配置された前記穴（７）に固着された棒からなることを特徴とする、請求項１乃至６のいずれか１項に記載の家具の要素。
【請求項８】
前記金具（３）を前記板（５）に取付けできるようにする前記取付け部が、対応するねじを切った前記固定板の前記穴にねじ止めすることができるねじ棒からなることを特徴とする、請求項１乃至６のいずれか１項に記載の家具の要素。
【請求項９】
高さの調整手段（９）が、各脚（２）の下端に提供されることを特徴とする、請求項１乃至８のいずれか１項に記載の家具の要素。
【発明の詳細な説明】
【技術分野】
【０００１】
本発明は、家具の分野に関し、特に事務所用および会議室用家具に関する。
【背景技術】
【０００２】
事務所および会議室などのスペース用の家具の枠内で、必要性、すなわちスペース内で働く人数、または予定された会議のタイプの観点から、共有の天板か個人用の天板かを明確にするためにいくつかの天板を組み合わせることができることは一般的に有利である。
【０００３】
そのため、会議の参加人数に従って、参加者が一緒に作業するために座る１つの大きなテーブルを形成するために、いくつかのテーブルを組み合わせることが必要であることがある。
【０００４】
同様に、会議リーダーまたはインストラクターといった人が天板のまわりに位置する人々の間に介在しなければならない場合、Ｕ字型または四角い天板を形成することが考えられる。
【０００５】
通例、天板が４本の脚に板材を載せたテーブルから構成されているのを目にすることができる。そのため、これらのテーブルを組み合わせるときには、板材は単に端と端を合わせて配置される。視覚的な観点からは、テーブルの間の連結部それぞれに４本の脚があるので、これらのテーブルを並置して形成されたユニットは美的であることからは遠い。そのため、形成されたユニットは、多くの場合は美的観点からは劣っている。さらに、たとえば顧客の前で営業用のプレゼンテーションが行われる会議室は、会社のショーケースでもある。
【０００６】
同様に、オフィスをレイアウトする枠内では、比較的広いオープンスペースを有効に仕切ることができる変更可能かつモジュール式の幾何学的配列によってワークステーションの形を定めるように、いくつかの机を組み合わせられることが求められる。したがって、当該タイプの家具は、そのように形成された天板が共通の脚のまわりに幾何学的に配置される、その共通の脚の上に据え付けられたいくつかの板材からなることができる。共通の脚のおかげで、改善された美的外観を備えたユニットを提供することが可能になる。しかし、作業スペースの配置を変更することが望まれる場合に、共通の脚から板材を外す工具を必要とするので、このタイプの家具は簡単なモジュール式ではない。
【発明の概要】
【発明が解決しようとする課題】
【０００７】
したがって、本発明は、簡単な方法でかつ高い美的品質の、少なくとも２枚の天板の変更可能かつモジュール式のレイアウトを実施することを可能にする、天板などの家具の要素を提案することを目的とする。
【課題を解決するための手段】
【０００８】
この意味において、該目的のために、本発明は、Ｌ字型の取付け金具を介して板材にそれぞれ組み合わされた少なくとも３本の脚を備えた板材からなる天板などの家具の要素であって、各脚は、横断断面が実質的に長方形であるシリンダと、カバーを形成する上端部とからなり、各脚の上部は板材の縁部に配置された切り欠き部にはめられ、各脚はさらに前記板材の周囲から突出し、前記切り欠き部は第２の脚のハウジングを第１の脚と平行にするように寸法取りされ、前記第２の脚は隣接する天板に属し、Ｌ字型の取付け金具が、板材上の取付け部と、前記脚の前記シリンダと上端部の間に、脚を構成するシリンダにはめ込むように配置された端部とを有する家具の要素において、固定板が脚を構成するシリンダの上部にはめられ、この固定板は、脚を構成するシリンダにはめ込むことができる金具の端部に備えられた穴に対応して配置された穴を備え、取付け部が、前記固定板に固定されかつ金具の媒介により板材と脚の間の有効な連結を提供するように、金具の端部の穴を経由してはめ込むことができることを特徴とする家具の要素を有する。
【０００９】
したがって有利には、脚と天板の間の取付けは、当該天板の美的側面をさらに強化する有効かつ全く目立たない方法で、前記脚にはめ込むことができる取付け金具と連携するように配置された固定板と取付け金具によって、非常に有効に提供される。
【００１０】
さらに、上端が天板と同じ平面に位置するように各脚がはめられる天板の切り欠き部は、鏡面対称効果によって、同一の隣接した天板の脚の突出部分をはめることを可能にする。
【００１１】
したがって、非常に有利な方法で、一方が他方にはまり込む隣接した天板が組み合わされ、脚は切り欠き部の中の別の脚に関して平行に位置するので改善された美的効果を保証して、ただ１つの見える脚だけを形成する一方で、組み合わされた板材はほとんど切れ目のない新しい１つの天板を形成する。
【００１２】
したがって、非常に有利な方法で、本発明による家具の要素は、工具を必要としないで天板を簡単に再配置することを可能にする一方で、形成されたレイアウトに高い美的視覚品質をなお与えることができる。
【００１３】
本発明の好ましい実施形態によれば、脚にはめ込むことができる取付け金具の端部は、脚を構成するシリンダ上の組立を容易にするように、より好ましくはわずかに円錐形として実施される。
【００１４】
脚にはめられた固定板に金具を取り付けられるようにする取付け部は、脚の固定板に配置された穴に固着された棒からなることができる。
【００１５】
あるいは、これらの取付け部は、ねじを切った固定板の穴に対応してねじ留めされることができるねじ棒からなることができる。
【００１６】
次に本発明を、図面を参照してより詳細に説明する。
【図面の簡単な説明】
【００１７】
【図１】本発明による天板の正面図である。
【図２】板材を除いた図１に記載の天板の脚の横断面図である。
【図３】脚と取付け金具の間の連結部の拡大した斜視図である。
【図４】本発明による天板の取付け金具の平面図である。
【図５】図４に記載の金具の側面の透視図である。
【発明を実施するための形態】
【００１８】
本発明による天板などの家具の要素は、少なくとも４本の脚２を備えた板材１からなる。図１では、本発明による当該天板の角の部分だけが示してある。
【００１９】
この図１で見ることができるように、脚２は実質的に長方形の横断断面のシリンダからなり、各脚２のシリンダのカバーの部品からなる上端２ａは、板材１の平面で延長するように、板材１の縁部に配置された切り欠き部１ａにはめ込まれる。さらに、切り欠き部１ａは、第１の脚２と平行して延長する第２の脚２を受け取ることができるように前記脚２が一方の側の前記板材１の周囲から突出するように寸法取りされ、この第２の脚２は本発明による別の天板に属する。
【００２０】
Ｌ字型の取付け金具３は、前記板材１の端部に配置された切り欠き部１ａの近傍の板材１の下に固定することができる。Ｌ字の基部すなわち金具３の取付け部３ａは、たとえばねじ４などの取付け手段を使用して、板材１へ金具の取付けを可能にする。
【００２１】
金具３の端部３ｂは、脚２を板材１に組み合わせることを可能にし、この端部３ｂは脚２を構成するシリンダの上部開口端部ではまり込むように配置されている。好ましくは、金具３の取付け部３ａおよび端部３ｂの部分３ｂ１は、Ｌ字断面の形状の単一部品で形成され、端部３ｂの部分３ｂ１は脚２をシリンダの上部開口端部ではめ込むように端部３ｂ２の第２の部分をはめるように配置されている。より好ましくは、端部３ｂを備えるこの第２の部分３ｂ２は、脚２のシリンダ上のはめ込みを容易にするためにわずかに円錐形（図５中の点線）として実施することができる。
【００２２】
脚２のシリンダはさらに、前記脚２の上部に取り付けられる内側固定板５を備える。この固定板５は、脚２にはめ込むことができる金具３の端部３ｂの部分３ｂ２上に備えられた穴６に対応して設けられた穴７を備える。
【００２３】
したがって、棒８のような取付け部が前記固定板５に取り付けられ、かつ板材１と脚２の間の有効な連結を提供するために金具３の端部３ｂの穴６を経由してはめ込むことができる。
【００２４】
固定板５は穴７が配置された単一部品で実施することができる。固定板５は、固定板５の組立の際に向かい合って配置された溝が穴７を形成する２つの半部品からなることも考えることができる。
【００２５】
いったん取付け金具３が脚２にはめ込まれたら、板材の切り欠き部１ａにはめ込むことができる脚２の上部２ａを含むカバーの要素が、所定の位置に設置され、板材１の平面で延長し、次に金具３がその部分３ａによって板材１に固定される。
【００２６】
既に説明したように、切り欠き部１ａが第２の脚２を受け取るように、脚２はそれぞれ板材１の切り欠き部１ａにはめられ、脚２はそれぞれ、２つの同一の天板を組み合わせる際に鏡面対称の天板が切り欠き部１ａおよび脚２によって組み合わされるように、板材１の周囲で突出している。
【００２７】
より好ましくは、脚２それぞれの下端で高さを調節する手段９がさらに提供される。
【００２８】
本発明は説明した例に限定されず、特許請求の範囲によって定義される代替物を含む。
【図１】
2010510462.tif 000003
【図２】
2010510462.tif 000004
【図３】
2010510462.tif 000005
【図４】
2010510462.tif 000006
【図５】
2010510462.tif 000007
【国際調査報告】
2010510462.tif 000008
2010510462.tif 000009
2010510462.tif 000010
2010510462.tif 000011